(57)【要約】【課題】接地型のアンテナの接続状態を診断することができる無線通信システムを提供する【解決手段】無線通信システム１００は、信号ライン５がグランドに直流的に接続される接地型のアンテナ１と、信号ライン５の途中に抵抗Ｒ１、Ｒ２を介して接続される直流電源Ｖｏと、抵抗Ｒ１、Ｒ２の接続点Ｃとグランドとの間の電圧を検出する電圧検出回路６と、電圧検出回路６によって検出される電圧に基いてアンテナ１の接続状態を診断する診断回路７とを備えている。診断回路７は、電圧検出回路６によって検出される電圧が直流電源Ｖｏの出力電圧を抵抗Ｒ１とＲ２で分圧した値である場合には、アンテナ１の接続状態が正常であると判定し、電圧検出回路６によって検出される電圧が直流電源Ｖｏの出力電圧に等しい場合には、アンテナ１の接続状態が異常であると判定する。【選択図】図１
2016131314.tif 000002
【特許請求の範囲】
【請求項１】
信号ラインがグランドに直流的に接続される接地型のアンテナと、
前記信号ラインの途中に第１、第２のインピーダンス素子を介して接続される電源と、
前記第１、第２のインピーダンス素子の接続点とグランドとの間の電圧を検出する電圧検出手段と、
前記電圧検出手段によって検出される電圧に基いて前記アンテナの接続状態を診断する診断手段と
を備える、無線通信システム。
【発明の詳細な説明】
【技術分野】
【０００１】
この発明は、無線通信システムに係り、特に接地型のアンテナを備えた無線通信システムに関する。
【背景技術】
【０００２】
現在、車載機器をはじめとして様々な分野で無線通信システムが用いられている。無線通信システムの構成の一例として、アンテナと無線通信機とをケーブルで接続する構成がある。このようなシステムにおいては、アンテナがケーブルに接続されていない、或いは無線信号が流れる信号ラインに断線が存在する等の理由により、アンテナの接続状態に異常が発生し、通信が行えなくなるおそれがある。
【０００３】
特許文献１には、アンテナの接続状態を診断可能な無線通信システムが記載されている。このシステムでは、無線信号が流れる信号ラインの途中に第１の抵抗Ｒ１を介して直流電源を接続すると共に、信号ラインとグランドとの間に第２の抵抗Ｒ２を接続し、信号ラインの直流成分の電圧を電圧検出回路によって検出することによって、アンテナの接続状態を診断する。
【先行技術文献】
【特許文献】
【０００４】
【特許文献１】特開２０１０−１０３５９８号公報
【発明の概要】
【発明が解決しようとする課題】
【０００５】
しかしながら、特許文献１に記載の無線通信システムでは、信号ラインとグランドとの間に抵抗を接続する必要があるため、ループアンテナや逆Ｆ型アンテナ等の信号ラインがグランドに直流的に接続される「接地型」のアンテナの接続状態を診断することはできない。
【０００６】
この発明はこのような問題を解決するためになされたものであり、接地型のアンテナの接続状態を診断することができる無線通信システムを提供することを目的とする。
【課題を解決するための手段】
【０００７】
上記の課題を解決するために、この発明に係る無線通信システムは、信号ラインがグランドに直流的に接続される接地型のアンテナと、信号ラインの途中に第１、第２のインピーダンス素子を介して接続される電源と、第１、第２のインピーダンス素子の接続点とグランドとの間の電圧を検出する電圧検出手段と、電圧検出手段によって検出される電圧に基いてアンテナの接続状態を診断する診断手段とを備える。
【発明の効果】
【０００８】
この発明に係る無線通信システムによれば、接地型のアンテナの接続状態を診断することができる。
【図面の簡単な説明】
【０００９】
【図１】この発明の実施の形態に係る無線通信システムの構成を示す図である。
【発明を実施するための形態】
【００１０】
以下、この発明の実施の形態について添付図面に基づいて説明する。
実施の形態．
この発明の実施の形態に係る無線通信システム１００の構成を図１に示す。無線通信システム１００は、アンテナ１と、無線通信機２と、アンテナ１と無線通信機２とを接続する同軸ケーブル３とから構成されている。
【００１１】
アンテナ１は、ループアンテナや逆Ｆ型アンテナ等の接地型アンテナであり、無線信号が流れる信号ラインがグランドに直流的に接続されている。具体的には、アンテナ１のエレメント１ａは同軸ケーブル３の芯線３ａおよび網線３ｂに共に接続されており、同軸ケーブル３の芯線３ａは無線通信機２の送受信回路４に接続され、同軸ケーブル３の網線３ｂはグランドに接続されている。無線通信機２の送受信回路４は無線信号の送受信を行う回路であり、アンテナ１と送受信回路４とを結ぶ信号ライン５は、グランドに直流的に接続されている。
【００１２】
無線通信機２において、アンテナ１と送受信回路４とを結ぶ信号ライン５の途中には、インピーダンス素子としての抵抗Ｒ１、Ｒ２を介して直流電源Ｖｏが接続されている。電圧検出回路６は、抵抗Ｒ１、Ｒ２の接続点Ｃとグランドとの間の電圧を検出する。診断回路７は、電圧検出回路６によって検出される接続点Ｃの電圧に基いて、アンテナ１の接続状態を診断する。なお、インピーダンス素子としての抵抗Ｒ１、Ｒ２の値は任意でよいが、抵抗Ｒ２の値については、信号ライン５を流れる無線信号（高周波信号）が直流電源Ｖｏの方向に流れ込まないことを保証できる値に設定することが好ましい。また、抵抗Ｒ２に替えて、高周波信号を遮断可能なインダクタンスを有するコイルを用いてもよい。
【００１３】
アンテナ１の接続状態が正常である場合、すなわちアンテナ１が同軸ケーブル３に接続されており、かつアンテナ１と送受信回路４とを結ぶ信号ライン５に断線が存在しない場合には、直流電源Ｖｏから抵抗Ｒ１、Ｒ２、同軸ケーブル３の芯線３ａ、アンテナ１、そして同軸ケーブル３の網線３ｂを経由してグランドに直流電流が流れる。そのため、抵抗Ｒ１、Ｒ２の接続点Ｃには、直流電源Ｖｏの出力電圧を抵抗Ｒ１とＲ２で分圧した電圧がかかり、この分圧された電圧が電圧検出回路６によって検出される。
【００１４】
一方、アンテナ１の接続状態が異常である場合、すなわちアンテナ１が同軸ケーブル３に接続されていないか、或いはアンテナ１と送受信回路４とを結ぶ信号ライン５に断線が存在する場合には、直流電源Ｖｏからグランドに至る上記の経路が切断される。そのため、接続点Ｃの電圧は直流電源Ｖｏの出力電圧に等しくなり、この電圧が電圧検出回路６によって検出される。
【００１５】
診断回路７は、電圧検出回路６によって検出される接続点Ｃの電圧が直流電源Ｖｏの出力電圧を抵抗Ｒ１とＲ２で分圧した値である場合には、アンテナ１の接続状態が正常であると判定し、電圧検出回路６によって検出される電圧が直流電源Ｖｏの出力電圧に等しい場合には、アンテナ１の接続状態が異常であると判定する。
【００１６】
以上説明したように、この実施の形態に係る無線通信システム１００は、接地型のアンテナ１と、信号ライン５の途中に抵抗Ｒ１、Ｒ２を介して接続される直流電源Ｖｏと、抵抗Ｒ１、Ｒ２の接続点Ｃとグランドとの間の電圧を検出する電圧検出回路６と、電圧検出回路６によって検出される電圧に基いてアンテナ１の接続状態を診断する診断回路７とを備えている。診断回路７は、電圧検出回路６によって検出される電圧が直流電源Ｖｏの出力電圧を抵抗Ｒ１とＲ２で分圧した値である場合には、アンテナ１の接続状態が正常であると判定し、電圧検出回路６によって検出される電圧が直流電源Ｖｏの出力電圧に等しい場合には、アンテナ１の接続状態が異常であると判定する。これにより、接地型のアンテナ１の接続状態を診断することができる。
【符号の説明】
【００１７】
１００  無線通信システム、１  アンテナ、５  信号ライン、６  電圧検出回路（電圧検出手段）、７  診断回路（診断手段）、Ｃ  接続点、Ｒ１  抵抗（第１のインピーダンス素子）、Ｒ２  抵抗（第２のインピーダンス素子）、Ｖｏ  直流電源（電源）。
【図１】
2016131314.tif 000003